(57)【要約】【課題】浴場等における個別洗浄スペースのような小スペースにも設置することができ、使用者が手軽に使える洗浄用泡供給装置を提供すること。【解決手段】水配管１１、洗浄剤配管１２及び気体配管１３を有し、水に洗浄剤及び圧縮気体を混合して泡を生成する泡生成部１０と、洗浄剤が貯留される洗浄剤貯留タンク３０と、泡生成部１０を収容した筐体６０とを備え、筐体６０の側方に洗浄剤貯留タンク３０が配置されている。【選択図】図４
2018198641.tif 000002
【特許請求の範囲】
【請求項１】
水配管、洗浄剤配管及び気体配管を有し、水に洗浄剤及び圧縮気体を混合して泡を生成する泡生成部と、
前記洗浄剤が貯留される洗浄剤貯留タンクと、
前記泡生成部を収容した筐体とを備え、
前記筐体の側方に前記洗浄剤貯留タンクが配置されていることを特徴とする洗浄用泡供給装置。
【請求項２】
前記筐体の下部に側方へ延設した延設部を有し、前記延設部に前記洗浄剤貯留タンクが配置されており、
前記延設部には前記洗浄剤配管に接続された洗浄剤供給口が設けられており、前記洗浄剤貯留タンクから、前記洗浄剤が前記洗浄剤供給口を介して前記洗浄剤配管に供給されることを特徴とする請求項１に記載の洗浄用泡供給装置。
【請求項３】
前記洗浄剤貯留タンクは、正面視で、前記筐体の右方に配置されていることを特徴とする請求項１又は請求項２に記載の洗浄用泡供給装置。
【請求項４】
前記泡の放射と前記水の放射を切換える切換レバーを、前記洗浄剤貯留タンクよりも左方に設けたことを特徴とする請求項１から請求項３のいずれか１項に記載の洗浄用泡供給装置。
【請求項５】
前記洗浄剤貯留タンクは、前記筐体から取り外し可能であることを特徴とする請求項１から請求項４のいずれか１項に記載の洗浄用泡供給装置。
【請求項６】
前記洗浄剤貯留タンクが前記筐体の側面と密接して装着され、
前記筐体の前面には、前記洗浄剤貯留タンクと密接する前記側面にかけて窪み部が形成されていることを特徴とする請求項５に記載の洗浄用泡供給装置。
【請求項７】
前記洗浄剤貯留タンクと密接する前記筐体の前記側面に、前記泡生成部の点検口が設けられていることを特徴とする請求項６に記載の洗浄用泡供給装置。
【請求項８】
前記点検口を覆う点検口蓋を備え、
前記点検口蓋が、前記洗浄剤供給口を構成する部材の押えを兼ねていることを特徴とする請求項７に記載の洗浄用泡供給装置。
【請求項９】
前記泡生成部は、生成された前記泡を細かくする攪拌器と、水の力で負圧を生じさせて前記洗浄剤を吸引するアスピレータと、前記洗浄剤の逆流を防止する洗浄剤用逆止弁とを備え、
前記攪拌器、前記アスピレータ及び前記洗浄剤用逆止弁は、それぞれの内部を通る流体が鉛直方向に流れるように配置されていることを特徴とする請求項１から請求項８のいずれか１項に記載の洗浄用泡供給装置。
【請求項１０】
前記水又は前記泡を吐出する吐出口を前記泡生成部の下部に配置したことを特徴とする請求項１から請求項９のいずれか１項に記載の洗浄用泡供給装置。
【請求項１１】
前記筐体と設置面との距離をあけるスタンド部を備えたことを特徴とする請求項１から請求項１０のいずれか１項に記載の洗浄用泡供給装置。
【請求項１２】
前記筐体を壁面に固定する固定部を備え、
前記固定部は、前記壁面に配置される壁面側固定部と、前記筐体の背面に設けられた筐体側固定部とからなり、
前記壁面側固定部と前記筐体側固定部が係合した状態で、前記筐体を前記壁面から引き離す方向に所定以上の力が加わった場合には、前記壁面側固定部から前記筐体側固定部が離脱することを特徴とする請求項１から請求項１１のいずれか１項に記載の洗浄用泡供給装置。
【請求項１３】
前記設置面からの前記筐体の落下を防止する落下防止用紐状部材を備え、
前記落下防止用紐状部材の一端を前記壁面側固定部に接続し、前記落下防止用紐状部材の他端を前記筐体に接続したことを特徴とする請求項１２に記載の洗浄用泡供給装置。
【請求項１４】
前記泡生成部は、三方弁を前記水配管に備え、
前記三方弁は、前記水が前記水配管と前記気体配管との接続部である気体配管接続部を通らずに流入する第一流入口と、前記水が前記気体配管接続部を通って流入する第二流入口と、流入した前記水が流出する流出口とを有し、前記水の放射時には、前記第一流入口が開、前記第二流入口が閉となり、
前記第一流入口と前記気体配管接続部との間の前記水配管には、前記第二流入口側から前記第一流入口側への逆流を防止する水用逆止弁が設けられていることを特徴とする請求項１から請求項１３のいずれか１項に記載の洗浄用泡供給装置。
【発明の詳細な説明】
【技術分野】
【０００１】
本発明は、人等の身体洗浄の際に用いる洗浄用泡供給装置に関する。
【背景技術】
【０００２】
身体を石鹸等の洗浄剤で洗う際は、身体に洗浄剤を直接塗って擦る方法や、洗浄剤を泡立ててタオルやスポンジ等で擦る方法が取られている。これらの身体の洗浄行為は、体表面の汚れを落とすとともに、皮膚の油分も洗い流し、皮膚油分量を減少させる。このため、身体を洗う際には皮膚油分量の減少を抑えるように、タオルやスポンジ等で十分に洗浄剤を泡立て、泡の弾力を利用し、擦りすぎずに優しく洗う必要がある。
特に高齢者は、洗浄後の皮膚油分量の回復が遅いことから長時間にわたり皮膚乾燥の状態が継続して皮膚掻痒感が誘発されやすい状態となり、皮膚のトラブルへ繋がる可能性がある（非特許文献１）。一方で、高齢者を対象とした介護サービスでは、短時間に２０人以上の入浴介護を行うこともあるため、洗浄剤を十分に泡立てる手間が大きい。
【０００３】
ここで、特許文献１には、洗浄液を貯留する給水部、洗浄液を配水ポンプにより皮膚面に供給する洗浄アダプタ、皮膚面を洗浄した排液を吸引ポンプにより吸引し貯留する排水部とからなる洗浄装置が開示されている。
また、特許文献２には、水道配管又は貯水タンクからシャワーヘッドに水を供給する水供給配管と、液体洗浄剤を水供給配管に導く液体洗浄剤供給配管と、気体を水供給配管に導く気体供給配管とを備え、液体洗浄剤供給配管の水供給配管への洗浄剤混合部を、気体供給配管の水供給配管への気体混合部よりも上流に設けた身体洗浄用泡供給装置が開示されている。
【先行技術文献】
【特許文献】
【０００４】
【特許文献１】特開２０１４−３０５１１号公報
【特許文献２】特開２０１５−４７２３６号公報
【非特許文献】
【０００５】
【非特許文献１】中野雅子著  高齢者の入浴後の皮膚油分・水分の回復プロセスと皮膚乾燥傾向に関する研究，京都市立看護短期大学紀要，第３４号，７５−８１
【発明の概要】
【発明が解決しようとする課題】
【０００６】
特許文献１の洗浄装置は、高齢者をベット等に寝かせたまま身体洗浄するものであって、浴場等に設置して高齢者や介護従事者といった使用者が手軽に使うことはできない。また、排液を回収するポンプや洗浄液を温める加温装置等を必要とするものであるから、構成が複雑で小型化が困難である。
また、特許文献２の身体洗浄用泡供給装置は、均質な泡を十分に発生させることを主目的としており、装置の小型化や使い勝手の向上について開示するものではない。
【０００７】
そこで本発明は、浴場等における個別洗浄スペースのような小スペースにも設置することができ、使用者が手軽に使える洗浄用泡供給装置を提供することを目的とする。
【課題を解決するための手段】
【０００８】
請求項１記載の本発明の洗浄用泡供給装置は、水配管、洗浄剤配管及び気体配管を有し、水に洗浄剤及び圧縮気体を混合して泡を生成する泡生成部と、前記洗浄剤が貯留される洗浄剤貯留タンクと、前記泡生成部を収容した筐体とを備え、前記筐体の側方に前記洗浄剤貯留タンクが配置されていることを特徴とする。
【０００９】
請求項２記載の本発明は、請求項１に記載の洗浄用泡供給装置において、前記筐体の下部に側方へ延設した延設部を有し、前記延設部に前記洗浄剤貯留タンクが配置されており、前記延設部には前記洗浄剤配管に接続された洗浄剤供給口が設けられており、前記洗浄剤貯留タンクから、前記洗浄剤が前記洗浄剤供給口を介して前記洗浄剤配管に供給されることを特徴とする。
【００１０】
請求項３記載の本発明は、請求項１又は請求項２に記載の洗浄用泡供給装置において、前記洗浄剤貯留タンクは、正面視で、前記筐体の右方に配置されていることを特徴とする。
【００１１】
請求項４記載の本発明は、請求項１から請求項３のいずれか１項に記載の洗浄用泡供給装置において、前記泡の放射と前記水の放射を切換える切換レバーを、前記洗浄剤貯留タンクよりも左方に設けたことを特徴とする。
【００１２】
請求項５記載の本発明は、請求項１から請求項４のいずれか１項に記載の洗浄用泡供給装置において、前記洗浄剤貯留タンクは、前記筐体から取り外し可能であることを特徴とする。
【００１３】
請求項６記載の本発明は、請求項５に記載の洗浄用泡供給装置において、前記洗浄剤貯留タンクが前記筐体の側面と密接して装着され、前記筐体の前面には、前記洗浄剤貯留タンクと密接する前記側面にかけて窪み部が形成されていることを特徴とする。
【００１４】
請求項７記載の本発明は、請求項６に記載の洗浄用泡供給装置において、前記洗浄剤貯留タンクと密接する前記筐体の前記側面に、前記泡生成部の点検口が設けられていることを特徴とする。
【００１５】
請求項８記載の本発明は、請求項７に記載の洗浄用泡供給装置において、前記点検口を覆う点検口蓋を備え、前記点検口蓋が、前記洗浄剤供給口を構成する部材の押えを兼ねていることを特徴とする。
【００１６】
請求項９記載の本発明は、請求項１から請求項８のいずれか１項に記載の洗浄用泡供給装置において、前記泡生成部は、生成された前記泡を細かくする攪拌器と、水の流れを利用して前記洗浄剤を吸引するアスピレータと、前記洗浄剤の逆流を防止する洗浄剤用逆止弁とを備え、前記攪拌器、前記アスピレータ及び前記洗浄剤用逆止弁は、それぞれの内部を通る流体が鉛直方向に流れるように配置されていることを特徴とする。
【００１７】
請求項１０記載の本発明は、請求項１から請求項９のいずれか１項に記載の洗浄用泡供給装置において、前記水又は前記泡を吐出する吐出口を前記泡生成部の下部に配置したことを特徴とする。
【００１８】
請求項１１記載の本発明は、請求項１から請求項１０のいずれか１項に記載の洗浄用泡供給装置において、前記筐体と設置面との距離をあけるスタンド部を備えたことを特徴とする。
【００１９】
請求項１２記載の本発明は、請求項１から請求項１１のいずれか１項に記載の洗浄用泡供給装置において、前記筐体を壁面に固定する固定部を備え、前記固定部は、前記壁面に配置される壁面側固定部と、前記筐体の背面に設けられた筐体側固定部とからなり、前記壁面側固定部と前記筐体側固定部が係合した状態で、前記筐体を前記壁面から引き離す方向に所定以上の力が加わった場合には、前記壁面側固定部から前記筐体側固定部が離脱することを特徴とする。
【００２０】
請求項１３記載の本発明は、請求項１２に記載の洗浄用泡供給装置において、前記設置面からの前記筐体の落下を防止する落下防止用紐状部材を備え、前記落下防止用紐状部材の一端を前記壁面側固定部に接続し、前記落下防止用紐状部材の他端を前記筐体に接続したことを特徴とする。
【００２１】
請求項１４記載の本発明は、請求項１から請求項１３のいずれか１項に記載の洗浄用泡供給装置において、前記泡生成部は、三方弁を前記水配管に備え、前記三方弁は、前記水が前記水配管と前記気体配管との接続部である気体配管接続部を通らずに流入する第一流入口と、前記水が前記気体配管接続部を通って流入する第二流入口と、流入した前記水が流出する流出口とを有し、前記水の放射時には、前記第一流入口が開、前記第二流入口が閉となり、前記第一流入口と前記気体配管接続部との間の前記水配管には、前記第二流入口側から前記第一流入口側への逆流を防止する水用逆止弁が設けられていることを特徴とする。
【発明の効果】
【００２２】
本発明の洗浄用泡供給装置によれば、浴場等における個別洗浄スペースのような小スペースにも設置することができ、使用者が手軽に使える洗浄用泡供給装置を提供することができる。
【図面の簡単な説明】
【００２３】
【図１】本実施例による洗浄用泡供給装置の配管系統図
【図２】同洗浄用泡供給装置の流体の流れの説明図
【図３】同洗浄用泡供給装置を浴場に設置した状態を示す図
【図４】同洗浄用泡供給装置の外観図
【図５】同洗浄用泡供給装置の固定部の説明図
【図６】同洗浄用泡供給装置の固定部の壁面側固定部の外観図
【図７】同洗浄用泡供給装置の洗浄剤貯留タンクを筐体から取り外した状態を示す図
【図８】同洗浄用泡供給装置の延設部の洗浄剤供給口の構成図
【発明を実施するための形態】
【００２４】
本発明の第１の実施の形態による洗浄用泡供給装置は、水配管、洗浄剤配管及び気体配管を有し、水に洗浄剤及び圧縮気体を混合して泡を生成する泡生成部と、洗浄剤が貯留される洗浄剤貯留タンクと、泡生成部を収容した筐体とを備え、筐体の側方に洗浄剤貯留タンクが配置されているものである。
本実施の形態によれば、小型の洗浄用泡供給装置を提供できる。
【００２５】
本発明の第２の実施の形態は、第１の実施の形態による洗浄用泡供給装置において、筐体の下部に側方へ延設した延設部を有し、延設部に洗浄剤貯留タンクが配置されており、延設部には洗浄剤配管に接続された洗浄剤供給口が設けられており、洗浄剤貯留タンクから、洗浄剤が洗浄剤供給口を介して洗浄剤配管に供給されるものである。
本実施の形態によれば、洗浄剤貯留タンクを延設部によって下方から支持し、筐体から洗浄剤貯留タンクが不慮に脱落することを防止できる。また、洗浄剤を円滑に供給することができる。
【００２６】
本発明の第３の実施の形態は、第１又は第２の実施の形態による洗浄用泡供給装置において、洗浄剤貯留タンクは、正面視で、筐体の右方に配置されているものである。
本実施の形態によれば、洗浄剤の補給や洗浄剤貯留タンクの洗浄を右手を使って行いやすくなる。
【００２７】
本発明の第４の実施の形態は、第１から第３のいずれか１つの実施の形態による洗浄用泡供給装置において、泡放射と水放射を切換える切換レバーを、洗浄剤貯留タンクよりも左方に設けたものである。
本実施の形態によれば、切換レバーへのアクセスが良く、操作効率が向上する。
【００２８】
本発明の第５の実施の形態は、第１から第４のいずれか１つの実施の形態によるによる洗浄用泡供給装置において、洗浄剤貯留タンクを筐体から取り外し可能としたものである。
本実施の形態によれば、洗浄剤貯留タンクを脱着自在とすることで、洗浄剤の補給や、洗浄剤貯留タンクの洗浄が容易となる。
【００２９】
本発明の第６の実施の形態は、第５の実施の形態による洗浄用泡供給装置において、洗浄剤貯留タンクが筐体の側面と密接して装着され、筐体の前面には、洗浄剤貯留タンクと密接する側面にかけて窪み部が形成されているものである。
本実施の形態によれば、洗浄剤貯留タンクを筐体の側面に密接させることで、筐体から延設した延設部の延設量を小さくすることができる。また、窪み部を設けることで、洗浄剤貯留タンクを掴みやすくなり、洗浄剤貯留タンクの脱着が容易となる。
【００３０】
本発明の第７の実施の形態は、第６の実施の形態による洗浄用泡供給装置において、洗浄剤貯留タンクと密接する筐体の側面に、泡生成部の点検口が設けられているものである。
本実施の形態によれば、筐体を分解することなく、泡生成部の調整やメンテナンスを行うことができる。
【００３１】
本発明の第８の実施の形態は、第７の実施の形態による洗浄用泡供給装置において、点検口を覆う点検口蓋を備え、点検口蓋が、洗浄剤供給口を構成する部材の押えを兼ねているものである。
本実施の形態によれば、部品点数を減らしメンテナンス性を向上させることができる。
【００３２】
本発明の第９の実施の形態は、第１から第８のいずれか１つの実施の形態による洗浄用泡供給装置において、泡生成部は、生成された泡を細かくする攪拌器と、水の流れを利用して洗浄剤を吸引するアスピレータと、洗浄剤の逆流を防止する洗浄剤用逆止弁とを備え、攪拌器、アスピレータ及び洗浄剤用逆止弁は、それぞれの内部を通る流体が鉛直方向に流れるように配置されているものである。
本実施の形態によれば、攪拌器により生成される泡をより均質化することができる。また、アスピレータが吸引する洗浄剤の流量を安定化することができる。また、洗浄剤用逆止弁の固着を防止することができる。また、筐体の設置必要面積を小さくすることができる。
【００３３】
本発明の第１０の実施の形態は、第１から第９のいずれか１つの実施の形態による洗浄用泡供給装置において、水又は泡を吐出する吐出口を泡生成部の下部に配置したものである。
本実施の形態によれば、例えばシャワーホースを引張ることにより発生する転倒方向のモーメントを小さくし、設置安定性を増すことができる。
【００３４】
本発明の第１１の実施の形態は、第１から第１０のいずれか１つの実施の形態による洗浄用泡供給装置において、筐体と設置面との距離をあけるスタンド部を備えたものである。
本実施の形態によれば、設置面及び筐体の下面の清掃が容易になり、衛生面が向上する。また、吐出口を泡生成部の下部に配置した場合には、筐体より下方に突設したエルボ管を介して吐出口を設けることができ、シャワーホースの可動範囲を広くできる。
【００３５】
本発明の第１２の実施の形態は、第１から第１１のいずれか１つの実施の形態による洗浄用泡供給装置において、筐体を壁面に固定する固定部を備え、固定部は、壁面に配置される壁面側固定部と、筐体の背面に設けられた筐体側固定部とからなり、壁面側固定部と筐体側固定部が係合した状態で、筐体を壁面から引き離す方向に所定以上の力が加わった場合には、壁面側固定部から筐体側固定部が離脱するものである。
本実施の形態によれば、筐体を壁面に固定することで、筐体が設置位置からずれたり落下したりすることを防止できる。また、過大荷重が加わった場合には、壁面側固定部から筐体側固定部を離脱させることで、筐体及び泡生成部の損傷を防止することができる。
【００３６】
本発明の第１３の実施の形態は、第１２の実施の形態による洗浄用泡供給装置おいて、設置面からの筐体の落下を防止する落下防止用紐状部材を備え、落下防止用紐状部材の一端を壁面側固定部に接続し、落下防止用紐状部材の他端を筐体に接続したものである。
本実施の形態によれば、筐体を壁面から引き離す方向に所定以上の力が加わって、壁面側固定部から筐体側固定部が離脱した場合に、筐体が床面に落下するのを防ぐことができる。
【００３７】
本発明の第１４の実施の形態は、第１から第１３のいずれか１つの実施の形態による洗浄用泡供給装置において、泡生成部は、三方弁を水配管に備え、三方弁は、水が水配管と気体配管との接続部である気体配管接続部を通らずに流入する第一流入口と、水が気体配管接続部を通って流入する第二流入口と、流入した水が流出する流出口とを有し、水の放射時には、第一流入口が開、第二流入口が閉となり、第一流入口と気体配管接続部との間の水配管には、第二流入口側から第一流入口側への逆流を防止する水用逆止弁が設けられているものである。
本実施の形態によれば、使用者が圧縮気体供給部の圧縮気体の供給と停止の操作をする必要がない。また、圧縮気体供給部を泡供給部と離れた場所に設置することが可能となる。
【実施例】
【００３８】
以下、本発明の一実施例による洗浄用泡供給装置について説明する。
図１は、本実施例による洗浄用泡供給装置の配管系統図である。図２は、同洗浄用泡供給装置の流体の流れの説明図である。
洗浄用泡供給装置１は、水に洗浄剤と圧縮気体を混合して泡を生成する泡生成部１０と、液状の洗浄剤が貯留されている洗浄剤貯留タンク３０と、圧縮気体を供給する圧縮気体供給部４０を備える。圧縮気体供給部４０は、例えばコンプレッサや加圧ボンベである。また、圧縮気体は、空気、酸素、窒素、又は二酸化炭素等である。
泡生成部１０は、水配管１１、洗浄剤配管１２、気体配管１３、水用レギュレータ１４、フィルター１５、絞り１６、アスピレータ１７、三方弁１８、攪拌器１９、気体用逆止弁２０、洗浄剤用逆止弁２１、及び水用逆止弁２２を有する。
水配管１１には、蛇口２から供給される水（温水又は冷水）が流れる。洗浄剤配管１２には、洗浄剤貯留タンク３０から供給される洗浄剤が流れる。気体配管１３には、圧縮気体供給部４０から供給される圧縮気体が流れる。圧縮気体供給部４０と気体用逆止弁２０の間には、加圧された気体の圧力を一定にする気体用レギュレータ４１が設けられている。水配管１１には、気体配管接続部１１ａにおいて気体配管１３が接続されている。
アスピレータ１７は、水の流れを利用して負圧を生じさせて、洗浄剤貯留タンク３０に貯留されている洗浄剤を吸引する。絞り１６はアスピレータ１７に吸引される洗浄剤の流量を絞る。フィルター１５は、洗浄剤をろ過して絞り１６の詰まりを防止する。
攪拌器１９は、例えば、開孔を有する網状体からなる撹拌部材を内部の発泡流路に設けたものであり、洗浄剤及び気体が混合された水は、撹拌部材を通過する際に流れが乱され撹拌されることで均一に分散・混合されて良質の泡となり、シャワーヘッド５０に供給される。シャワーヘッド５０は、泡を放射状に放出させる。
【００３９】
図２に示すように、三方弁１８は、第一流入口１８Ａ、第二流入口１８Ｂ、流出口１８Ｃ及びレバー１８Ｄを有し、水配管１１に設けられている。第一流入口１８Ａには、水が水配管１１と気体配管１３との接続部である気体配管接続部１１ａを通らずに流入する。第二流入口１８Ｂには、水が気体配管接続部１１ａを通って流入する。また、第一流入口１８Ａと気体配管接続部１１ａとの間の水配管１１には、第二流入口１８Ｂ側から第一流入口１８Ａ側への水又は気体の逆流を防止する水用逆止弁２２が設けられている。レバー１８Ｄの操作により第一流入口１８Ａ及び第二流入口１８Ｂを開閉することで、シャワーヘッド５０から水を放射する水放射と、シャワーヘッド５０から泡を放射する泡放射とを選択的に切換えることができる。
図２（ａ）は水放射時の流体の流れを示し、図２（ｂ）は泡放射時の流体の流れを示している。図２（ａ）（ｂ）においては、水又は泡の流れを白抜き矢印で示している。図２（ｂ）においては、水に混合される前の洗浄剤の流れを点線で示し、水に混合される前の圧縮気体の流れを一点鎖線で示している。
第一流入口１８Ａを開、第二流入口１８Ｂを閉としたときは水放射となる。水放射時は、図２（ａ）に示すように、蛇口２から供給された水は、水用レギュレータ１４を通って、三方弁１８に第一流入口１８Ａから流入して流出口１８Ｃから流出し、攪拌器１９を通ってシャワーヘッド５０から放射される。
第一流入口１８Ａを閉、第二流入口１８Ｂを開としたときは泡放射となる。泡放射時は、図２（ｂ）に示すように、蛇口２から供給された水は、水用レギュレータ１４及びアスピレータ１７を通って、三方弁１８に第二流入口１８Ｂから流入して流出口１８Ｃから流出し、攪拌器１９に流入する。また、洗浄剤貯留タンク３０に貯留されている洗浄剤は、アスピレータ１７によって吸引され、フィルター１５及び絞り１６、洗浄用逆止弁２１を通ってアスピレータ１７に流入して水に混合する。また、圧縮気体供給部４０により供給された圧縮気体は、気体用レギュレータ４１及び気体用逆止弁２０を通って、洗浄剤混じりの水に混合する。攪拌器１９に流入した洗浄剤混じりの水と圧縮気体は、泡となってシャワーヘッド５０へ向かう。
このように、三方弁１８を設けることで、同一のシャワーヘッド５０で、泡放射と水放射の両方を行うことができる。
また、攪拌器１９を三方弁１８よりも下流の泡と水の共通流路に設けることで、泡放射後に攪拌器１９内に残留した泡を、水放射時に流れる水で洗い流すことができる。これにより、攪拌器１９の網状体に洗浄剤が固まって詰まることを防止できる。
【００４０】
水用レギュレータ１４は、泡放射時はアスピレータ１７にかかる水圧を一定にする。特に、水配管１１に水道水を供給する場合、水道圧は設置環境や周囲の水道使用状況等によって大きく変動するが、水用レギュレータ１４と絞り１６を併用することにより、水道圧が変動しても安定してアスピレータ１７が洗浄剤を吸引することができる。一方、水放射時には水道圧を抑えて節水や水の当たりを優しくする。
三方弁１８が水放射に切換えられると、図２（ａ）に示すように、三方弁１８の第二流入口１８Ｂが閉となり、圧縮気体供給部４０が供給した圧縮気体が遮断されるため、気体配管１３の圧力が上昇する。圧縮気体供給部４０がコンプレッサの場合は、所定圧を上回ったことが検知されるとコンプレッサに付属した圧力スイッチが作動し、圧縮気体供給部４０の運転を停止させる。一方、圧縮気体供給部４０が加圧ボンベの場合は、レギュレータ設定圧以上に圧縮気体が供給されることはない。また、泡放射に切換えられると、図２（ｂ）に示すように、三方弁１８の第二流入口１８Ｂが開となり、圧縮気体が攪拌器１９側に流れるため、圧縮気体の供給が始まる。このように、泡生成部１０の気体配管１３を流れる圧縮気体を水放射時に遮断することによって、レバー１８Ｄの動作に連動させて圧縮気体の供給と停止ができるため、使用者が圧縮気体供給部４０の供給と停止の操作をする必要がない。また、圧縮気体供給部４０を泡生成部１０と離れた場所に設置することが可能となる。
【００４１】
図３は、本実施例による洗浄用泡供給装置が介護施設等の浴場に設置された状態を示す図である。
浴場には、高齢者等の使用者が身体を洗浄する個別洗浄スペースが複数設けられており、各洗浄スペースには、蛇口２とシャワー３が備え付けられている。また、蛇口２の下方には、石鹸やシャンプー等が置かれる棚４が設置されている。
蛇口２は、水の温度を調節する温度調節操作部２Ａと、水の出し止めを行う水操作部２Ｂと、温水又は冷水を吐水する吐水口２Ｃを有する。
シャワー３は、シャワーホース３Ａの先端にシャワーヘッド５０を有する。シャワーヘッド５０は、シャワー３と対向する使用者側から見て蛇口２よりも右方に配置されている。
洗浄用泡供給装置１は、棚４に載置されている。洗浄用泡供給装置１の水配管１１に繋がる水供給口２３は、配管を介して吐水口２Ｃに接続されている。洗浄用泡供給装置１の吐水口２４には、シャワーホース３Ａの後端が接続されている。また、洗浄用泡供給装置１の気体配管１３に繋がる気体供給口２５には、浴場外に設置された圧縮気体供給部４０が供給した圧縮気体の供給配管が接続されている。また、棚４がない場合は、装置専用台の設置や、装置のスタンド部を長くして床面に設置してもよい。なお、装置のスタンド部については後述する。
【００４２】
図４は、洗浄用泡供給装置の外観図であり、図４（ａ）は正面図、図４（ｂ）は背面図、図４（ｃ）は右側面図、図４（ｄ）は左側面図、図４（ｅ）は斜視図、図４（ｆ）は底面図、図４（ｇ）はスタンド部を外した状態における底面図である。
泡生成部１０は、筐体６０に収容されている。筐体６０の下部には、側方に延設した延設部６１が設けられている。延設部６１の上面には洗浄剤貯留タンク３０が装着される。洗浄剤貯留タンク３０は延設部６１に下方から支持されるため、筐体６０から不慮に脱落することがない。
洗浄剤貯留タンク３０は上部に開口を有しており、その開口は蓋３１で塞がれている。洗浄剤が少なくなった場合は、蓋３１を外して開口から補給する。なお、洗浄剤貯留タンク３０は、洗浄剤の残量を目視できるように、少なくとも一部を透明又は半透明とすることが好ましい。
【００４３】
筐体６０の前面には、切換レバー７０が設けられている。切換レバー７０は、三方弁１８のレバー１８Ｄ（図１参照）に接続されており、切換レバー７０の操作によって第一流入口１８Ａ及び第二流入口１８Ｂの開閉が行われ、泡放射と水放射を切換えることができる。切換レバー７０は、洗浄剤貯留タンク３０よりも左方に設けられている。
切換レバー７０を筐体６０の側面ではなく前面に設けることで、使用者の視認性及び操作性が向上する。また、切換レバー７０を洗浄剤貯留タンク３０よりも左方に設けることで、蛇口２の水操作部２Ｂ（図３参照）と切換レバー７０の距離が近くなり、使用者の操作効率が向上する。
【００４４】
洗浄用泡供給装置１は、筐体６０と設置面との距離をあけるスタンド部８０を備えている。スタンド部８０を備えることで、筐体６０の下面を設置面となる棚４の上面から浮かすことができる。これにより、棚４の上面や筐体６０の下面の清掃が容易になり、衛生面が向上する。
スタンド部８０は、柱状部８１と脚部８２とからなる。柱状部８１は、一端が筐体６０の下面に接続され、他端が脚部８２に接続されている。脚部８２は柱状部８１に対して垂直に突出した４本の板状部材からなる。
脚部８２の板状部材は、筐体６０の前面側に向けて突出した前面側板状部材８２ａと、筐体６０の後面側に向けて突出した後面側板状部材８２ｂとからなる。前面側板状部材８２ａのほうが後面側板状部材８２ｂよりも長く形成されている。これにより、筐体６０がシャワーホース３等によって前方へ引っ張られた場合でも、棚４から落下し難くなっている。
【００４５】
図５は、本実施例による洗浄用泡供給装置の固定部の説明図であり、図５（ａ）は筐体を正面下方からみた斜視図、図５（ｂ）、（ｃ）は筐体を背面左下方からみた斜視図である。図６は、同壁面側固定部の外観図である。
洗浄用泡供給装置１は、筐体６０を設置箇所の壁面に固定する固定部９０を備える。
固定部９０は、壁面側固定部９１と、筐体６０の背面に設けられた筐体側固定部９２とからなる。
壁面側固定部９１は、図６に示すように、本体部９１Ａと、一対の保持部９１Ｂと、紐状部材係止部９１Ｃを有する。保持部９１Ｂ及び紐状部材係止部９１Ｃは、本体部９１Ａの前面に配置されている。紐状部材係止部９１Ｃは、一対の保持部９１Ｂの間に位置している。一対の保持部９１Ｂは、それぞれ弧状に形成され、離間して配置されている。
筐体側固定部９２は、図５（ｂ）に示すように、筐体６０の背面に設けられている。筐体側固定部９２は、一対の差込部９２Ａを有する。一対の差込部９２Ａは、それぞれ略円筒状に形成され、離間して配置されている。
【００４６】
図５（ａ）（ｂ）は、壁面側固定部９１と筐体側固定部９２を係合させる前の状態を示している。図５（ａ）（ｂ）に示すように、紐状部材係止部９１Ｃには、落下防止用紐状部材１００の一端が接続されている。落下防止用紐状部材１００の他端は、筐体６０の下面に接続されている。
図５（ｃ）は、壁面側固定部９１と筐体側固定部９２を係合させた状態を示している。壁面側固定部９１を設置箇所の壁面に両面テープ等で貼り付け、筐体側固定部９２の差込部９２Ａを壁面側固定部９１の保持部９１Ｂに係合させると、図５（ｃ）の状態となる。
このように固定部９０を用いて筐体６０を壁面に固定することで、筐体６０が動いたり棚４から落下したりすることを防止できる。また、筐体６０の背面に筐体側固定部９２を設けることで、筐体６０の背面と壁面との間に指が入るほどの隙間を設けることができ、洗浄剤貯留タンク３０を掴みやすくなり、洗浄剤貯留タンク３０の脱着が容易となる。
また、前方へ一定以上の荷重が加わった場合には、壁面側固定部９１と筐体側固定部９２との係合が解除されるように、保持部９１Ｂの保持力が設定されている。保持部９１Ｂの保持力は、通常の使用想定を超える張力が加わった場合に、差込部９２Ａが保持部９１Ｂから外れるように設定されていることが好ましい。これにより、シャワーホース３Ａに使用者の足が引っ掛かるなどして筐体６０が前方へ強い力で引っ張られた時に泡生成部１０や筐体６０が破損することを防止できる。
なお、落下防止用紐状部材１００の一端が壁面側固定部９１に接続され、落下防止用紐状部材１００の他端が筐体６０の下面に接続されているため、筐体６０が前方へ強い力で引っ張られて壁面側固定部９１と筐体側固定部９２との係合が解除された場合であっても、筐体６０が床面に落下することは無い。
【００４７】
次に、図１から図４を用いて、洗浄座用泡供給装置の内部の配置について説明する。  洗浄剤を吸引するアスピレータ１７は、水の入口を上側、水の出口を下側として配置されている。洗浄剤配管１２は、アスピレータ１７の入口と出口の間の位置に接続されている。アスピレータ１７を縦に配置し、内部を通る水が鉛直に流れるようにすることで、配管に存在する気泡がアスピレータ１７の内部に侵入しにくくなり、洗浄剤の吸引流量を安定化することができる。
三方弁１８の下方に位置する攪拌器１９は、水の入口を上側、水の出口を下側として配置されている。攪拌器１９を縦に配置することで、供給された圧縮気体が泡になる前に流出することを防止し、泡放射時において、攪拌器１９の内部に設けられた撹拌部材による撹拌がより一層促進され、泡が均質化されやすくなる。
洗浄剤用逆止弁２１は、洗浄剤の入口を下側、洗浄剤の出口を上側として配置されている。洗浄剤用逆止弁２１を縦に配置することで、内部を通る洗浄剤を洗浄剤用逆止弁２１に滞留させ、洗浄剤用逆止弁２１の固着を防止できる。
また、アスピレータ１７、攪拌器１９及び洗浄剤用逆止弁２１の長手方向を縦に配置することで、筐体３０の設置必要面積を小さくすることができる。
【００４８】
攪拌器１９の下方には水又は泡を吐出する吐出口２４が設けられている。吐出口２４にはシャワーホース３Ａが接続される。シャワーホース３Ａに接続される吐出口２４を下部に設けることで、シャワーホース３Ａを引張ることにより発生する転倒方向のモーメントを小さくし、設置安定性を増すことができる。
また、上述のとおり、筐体６０はスタンド部８０によって棚４から上方へ離されているため、筐体６０の下方に突設したエルボ管２６を介して吐出口２４を設けることができる。エルボ管２６を水平方向に回動自在とすることで、吐出口２４はシャワーホース３Ａの動きに追随して左右に首を振ることができ、シャワーホース３Ａの可動範囲が広がる。また、気体供給口２５も筐体６０より下方へ突出させることができる。
【００４９】
水用レギュレータ１４は、筐体６０に泡生成部１０を収容したときに攪拌器１９よりも延設部６１寄りに位置するように配置されている。水用レギュレータ１４の上方には圧力測定口が配置され、水用レギュレータ１４の下方には、後述する洗浄剤供給口６２に繋がるタンク接続口が配置されている。
【００５０】
図７は、本実施例による洗浄用泡供給装置の洗浄剤貯留タンクを筐体から取り外した状態を示す図である。図８は、本実施例による洗浄用泡供給装置の延設部に設けられた洗浄剤供給口の概略構成図である。
延設部６１の上面には、洗浄剤供給口６２が設けられている。洗浄剤供給口６２には、図８に示すように、洗浄剤の漏れを防ぐＶパッキン６２Ａが設けられている。
洗浄剤供給口６２の周囲には、Ｕ字状に凹部６３が形成されている。洗浄剤貯留タンク３０は、下部に凹部６３に対応した形状の凸部３２を有しており、凸部３２を凹部６３に嵌合することで、洗浄剤貯留タンク３０を延設部６１に装着し、洗浄剤を洗浄剤貯留タンクから流出させることができる。
装着された洗浄剤貯留タンク３０は、筐体６０の側面に密接する。洗浄剤貯留タンク３０を筐体６０に密接又は近接させることで、装置の設置必要面積を小さくすることができる。
また、図７に示すように、筐体６０の前面には、延設部６１側の側面から吐出口２４の上方にかけて流線形状の窪み部６４が形成されている。窪み部６４を設けることで、筐体６０に密接している洗浄剤貯留タンク３０を掴みやすくなり、洗浄剤貯留タンク３０の脱着が容易となる。また、窪み部６４を吐出口２４の上方に形成することで、吐出口２４に接続されたシャワーホース３Ａの左右への可動範囲を大きくできる。
【００５１】
洗浄剤貯留タンク３０は、上方に引き抜いて取り外すことができるが、延設部６１の先端側には凹部６３から立ち上がる壁部を設けず、切欠いた状態としているため、洗浄剤貯留タンク３０を側方に引き抜いて取り外すこともできる。よって、洗浄剤貯留タンク３０の上方に障害物があって上方への引き抜きが難しい場所であっても、洗浄用泡供給装置１を設置することができる。
また、洗浄剤貯留タンク３０は、図７に示すように、正面視で、筐体６０の右方に装着されることが好ましい。これにより、使用者は右手で洗浄剤貯留タンク３０を脱着させることができる。また、洗浄剤貯留タンク３０を右方に配置することで、切換レバー７０を洗浄剤貯留タンク３０よりも左方に設けることができ、上述のように、切換レバー７０へのアクセスがよくなり、使用者の操作効率が向上する。
【００５２】
図８に示すように、筐体６０の延設部６１側の側面には、泡生成部の点検口６５が設けられている。上述のように、水用レギュレータ１４及び圧力測定口が延設部６１寄りに配置されているため、点検口６５から水用レギュレータ１４の調整や水圧測定を行うことができる。このように、点検口６５を筐体６０に設けることで、筐体６０を分解することなく筐体６０に収容されている泡生成部１０のメンテナンスや調整を容易に行うことができる。
点検口６５は、メンテナンスや調整時以外は点検口蓋６６で覆われている。点検口蓋６６は、鉛直部６６Ａと水平部６６Ｂとで略Ｌ字状に形成されている。水平部６６ＢにはＶパッキン６２Ａよりも小径の孔が洗浄剤の流路となる位置に形成されている。鉛直部６６Ａは点検口６５を覆う。水平部６６Ｂは洗浄剤供給口６２を構成する部品を洗浄剤の流路を除いて覆うことでＶパッキン６２Ａを上から押さえる。このように点検口蓋６６が、洗浄剤供給口６２を構成する部品の押さえも兼ねることで、部品点数を減らし、メンテナンス性を向上させることができる。
【００５３】
以上のように、洗浄用泡供給装置１は、筐体６０を浴場の個別洗浄スペースの棚４にも載置可能なサイズとすることで、使用者が手軽に使用することができる。なお、棚４が設置されていない場合は、筐体６０を床面に載置してもよい。
また、上記実施形態では、筐体６０に延設部６１を設け、洗浄剤貯留タンク３０を筐体６０に脱着可能に装着する例を説明したが、延設部６１を設けず、筐体６０の側面に洗浄剤貯留タンク３０を取り付ける構造とすることもでき、洗浄剤貯留タンク３０を筐体６０から取り外せない構造とすることもできる。
【産業上の利用可能性】
【００５４】
本発明による洗浄用泡供給装置は、介護施設の浴室内等の洗浄箇所に、小型の筐体を設置してシャワーヘッドから洗浄用の泡を連続して放射することが可能であるため、使用者や愛玩動物等の肌健康の向上を図れると共に、使用者の泡立ての手間と負担を軽減することができる。
【符号の説明】
【００５５】
１  洗浄用泡供給装置
２  蛇口
２Ａ  温度調節操作部
２Ｂ  水操作部
２Ｃ  吐水口
３  シャワー
３Ａ  シャワーホース
４  棚
１０  泡生成部
１１  水配管
１１ａ  気体配管接続部
１２  洗浄剤配管
１３  気体配管
１４  水用レギュレータ
１５  フィルター
１６  絞り
１７  アスピレータ
１８  三方弁
１８Ａ  第一流入口
１８Ｂ  第二流入口
１８Ｃ  流出口
１８Ｄ  レバー
１９  攪拌器
２０  気体用逆止弁
２１  洗浄剤用逆止弁
２２  水用逆止弁
２３  水供給口
２４  吐出口
２５  気体供給口
２６  エルボ管
３０  洗浄剤貯留タンク
３１  蓋
３２  凸部
４０  圧縮気体供給部
４１  気体用レギュレータ
５０  シャワーヘッド
６０  筐体
６１  延設部
６２  洗浄剤供給口
６２Ａ  Ｖパッキン
６３  凹部
６４  窪み部
６５  点検口
６６  点検口蓋
６６Ａ  鉛直部
６６Ｂ  水平部
７０  切換レバー
８０  スタンド部
８１  柱状部
８２  脚部
８２ａ  前面側板状部材
８２ｂ  後面側板状部材
９０  固定部
９１  壁面側固定部
９１Ａ  本体部
９１Ｂ  保持部
９１Ｃ  紐状部材係止部
９２  筐体側固定部
９２Ａ  差込部
１００  落下防止用紐状部材
【図１】
2018198641.tif 000003
【図２】
2018198641.tif 000004
【図３】
2018198641.tif 000005
【図４】
2018198641.tif 000006
【図５】
2018198641.tif 000007
【図６】
2018198641.tif 000008
【図７】
2018198641.tif 000009
【図８】
2018198641.tif 000010